(57)【特許請求の範囲】
【請求項１】
帯状部材が実質的に平坦に延びた平坦部と、
前記平坦部の端から帯状部材がその面に垂直の方向の周りに湾曲して延びて前記平坦部の他方の端との間に開口を有する形状の引っ掛け部と、
前記平坦部における前記引っ掛け部の反対側に設けられ、前記平坦部との間でケーブルを直線状で係止する直索係止部と、
前記直索係止部から前記平坦部の反対側にＵ字形に湾曲して形成され、前記直索係止部との間で、束状のケーブルを係止する束索係止部と、
を有することを特徴とするケーブル支持具。
【請求項２】
柔軟性を有する素材で一体成形され、
前記引っ掛け部の先端は、丸く折り返されていることを特徴とする請求項１に記載のケーブル支持具。
【請求項３】
前記直索係止部の前記平坦部側の面には、ケーブルを係止するための突起部が形成されていることを特徴とする請求項１又は２に記載のケーブル支持具。
【発明の詳細な説明】
【技術分野】
【０００１】
本発明は、病院及び介護施設等の特にベッド等の周辺部で使用される電気機器の電源コードを簡便にまとめて、ベッド等に取り付けて、ベッド等の移動と共に電源コードを持ち運ぶことができるケーブル支持具に関し、特に、ベッド等の周辺部に治療及び介護の邪魔にならないように、まとめておくことができるケーブル用支持具に関する。
【背景技術】
【０００２】
医療用又は介護用のベッドにおいては、ベッド昇降及び背上げ動作等のための駆動装置が装備されており、また、血圧等の生体信号を取得するための設備が装備されている。これらの装置には、電源コード及びデータ送受信用の信号ケーブル等が接続されており、これらのケーブル（コードを含む）をまとめた状態で、ベッドサイドに置いておくことが必要である。また、ベッドの移動の際にも、これらのケーブルをまとめた状態で、ベッドに支持させることが必要である。
【０００３】
このため、従来、ベッドフレームに１対の突起を上方に向けて設け、この突起にケーブルを巻き付ける方法により束ねることが行われている。しかしながら、この方法では、ベッドフレームの高さが低い低床ベッドにおいては、ケーブルを巻き付ける位置が低くなり、ケーブルを収納しにくくなる。また、突起に巻き付ける方法では、ケーブルを収納するために、ケーブルを複数巻きにわたってケーブルを突起に巻き付ける必要があり、作業が繁雑である。また、この巻き取り作業を行うのは、医療従事者であるから、床上に這っているケーブルをつかんでこれを突起に巻き付ける際に、医療従事者に対する汚染の虞があり、感染の拡大防止上、問題がある。
【０００４】
そこで、ベッド周囲のケーブルを束ねて、ベッドに確保しておくためのケーブル支持具が提案されている（特許文献１）。この従来のケーブル支持具は、円弧状に湾曲形成した帯板状弾性体の一端側と他端側に夫々第１、第２の係合部を形成して、それらの係合部の係合により帯板状弾性体を環状に保持可能とし、更に帯板状弾性体の一端側にケーブルの挿入支持部を形成し、この挿入支持部は開口側を狭く形成したことを特徴とするケーブル支持具（特許文献１の請求項１）である。
【先行技術文献】
【特許文献】
【０００５】
【特許文献１】特開２０１０−１１６７２号公報
【発明の概要】
【発明が解決しようとする課題】
【０００６】
しかしながら、この特許文献１に記載のケーブル支持具は、そのケーブルの挿入支持部５の開口側（導入用突辺部７）が狭くなるように形成されていて、図４乃至図８の実施形態にみるように、このケーブルの挿入支持部５には１本のケーブルしか挿入支持されていない。つまり、この従来のケーブル支持具は、ケーブルを１回巻き付けるものである。これに対し、医療用ベッド又は介護用ベッドの周辺に位置する電源コード等は、複数巻きする必要があるくらいの長さを有している。このため、挿入支持部５の大きさを大きくして、この挿入支持部５にケーブルを複数巻きで係止させた場合、このケーブルを複数巻きで束ねたケーブル支持具が、床上に放置されたときには、複数巻きのケーブルの姿勢に支配されて、ケーブル支持具は、円弧状に湾曲形成された帯板状弾性体の前記円弧の中心軸が水平になるように、支持具が起き上がってしまう。そうすると、床上に放置された支持具を、踏みつけてしまった場合に、支持具が壊れやすくなるという問題点がある。
【０００７】
本発明はかかる問題点に鑑みてなされたものであって、ケーブルを複数巻きで収容しても壊れにくい構造を有し、ケーブルを効率的に収納して、ベッド等の脇に見映え良く収容することができるケーブル支持具を提供することを目的とする。
【課題を解決するための手段】
【０００８】
本発明に係るケーブル支持具は、
帯状部材が実質的に平坦に延びた平坦部と、
前記平坦部の端から帯状部材がその面に垂直の方向の周りに湾曲して延びて前記平坦部の他方の端との間に開口を有する形状の引っ掛け部と、
前記平坦部における前記引っ掛け部の反対側に設けられ、前記平坦部との間でケーブルを直線状で係止する直索係止部と、
前記直索係止部から前記平坦部の反対側にＵ字形に湾曲して形成され、前記直索係止部との間で、束状のケーブルを係止する束索係止部と、
を有することを特徴とする。
【０００９】
このケーブル支持具は、
柔軟性を有する素材で一体成形され、
前記引っ掛け部の先端は、丸く折り返されていることが好ましい。
【００１０】
また、
前記直索係止部の前記平坦部側の面には、ケーブルを係止するための突起部が形成されていることが好ましい。
【発明の効果】
【００１１】
本発明によれば、電源ケーブルの例えばプラグ側の部分を、直索係止部に直線状にケーブルを係止させ、その他の部分を円形にまとめて束ねた状態で、束索係止部に係止させる。よって、電源ケーブルをまとめる場合には、まず、プラグ側の部分を直索係止部に係止させた状態で、引っ掛け部を、例えば、ベッドのベッドフレームに引っ掛けて、ベッド側部のケーブル支持具から電源ケーブルを垂れ下げる。その後、電源ケーブルの残りの部分を数重に丸めて束にまとめた後、この束を束索係止部に係止させる。このように、本発明においては、直索係止部が設けられているので、ケーブルをまとめて、ケーブル支持具に係止させる作業が容易である。また、仮に、このケーブル支持具をベッドフレーム等の引っ掛けるべき部分から取り外し、床上に放置する必要がある場合、直索係止部にケーブルの端部を直線状に係止させた状態で放置することとすれば、本発明のケーブル支持具は、帯状部材の幅方向が床面に垂直になるように、ケーブル支持具の全体が床面に平行になる。このため、仮に、ケーブル支持具を踏みつけた場合でも、ケーブル支持具が破損してしまうことはない。
【図面の簡単な説明】
【００１２】
【図１】本発明の実施形態のケーブル支持具を正面側から見た示す斜視図である。
【図２】同じく、このケーブル支持具を背面側から見た斜視図である。
【図３】同じく、このケーブル支持具の正面図である。
【図４】このケーブル支持具でまとめられた電源ケーブルを示す図である。
【発明を実施するための形態】
【００１３】
以下、本発明の実施形態について、添付の図面を参照して説明する。図１乃至図３に示すように、本実施形態のケーブル支持具は、帯状部材が実質的に平坦に延びて形成された平坦部１と、この平坦部１の一方の端部から、同一幅の帯状部材が、その面に垂直の方向の周りに湾曲して延びる引っ掛け部２とを有する。この引っ掛け部２の先端部４は、丸く折り返されており、この折り返し部３は平坦部１の他方の端部の近傍まで湾曲して延びており、この折り返し部３と平坦部１との間で、引っ掛け部２の開口を形成している。
【００１４】
そして、この平坦部１と直索係止部５とが、平坦部１及び直索係止部５の両端部に形成された連絡部６，７により、平坦部１と直索係止部５とが平行になるように配置されている。これらの連絡部６，７は，平坦部１及び直索係止部５の一方の幅方向端部から、中央部までの部分を占めており、平坦部１の幅よりも短い幅を有している。直索係止部５における他方の幅方向端部には、その連絡部６，７間の中間部に、直索係止部５の長手方向に若干延びる突起部１０が形成されている。連絡部６，７の直索係止部５の長手方向に延びる面と、突起部１０との間の直索係止部５の幅方向の距離は、係止せんとするケーブルの幅よりも若干短く、１本のケーブルを、この連絡部６，７と突起部１０との間に圧入することにより、このケーブルを直索係止部５に係止することができる。
【００１５】
直索係止部５における平坦部１の前記他方の端部側の位置から、帯状部材が平坦部１の反対側にＵ字形に湾曲して延びている。そして、直索係止部５から湾曲する湾曲部９により連絡されて、直索係止部５に平行の束索係止部８が形成されている。
【００１６】
このケーブル支持具は、柔軟性を有する素材で形成されており、例えば、プラスチック材料を金型で成形することにより、一体成形されている。特に、引っ掛け部２の部分は、比較的大径であり、かつ、薄厚の帯状部材により形成されているので、大きく変形することができる。一方、平坦部１及び直索係止部５は、連絡部６，７により支持されているので、剛性が比較的高く、変形しにくい。
【００１７】
次に、上述のごとく構成された本実施形態のケーブル支持具の動作について説明する。図４はこのケーブル支持具を使用して、ケーブルをベッドの頭側のヘッドボード２０の棒状の取手２１に取り付けた状態を示す。先ず、図４（ａ）に示すように、電源ケーブル２３のプラグ２２側の先端部分を、直線状のまま、直索係止部５内に圧入して、この直索係止部５に嵌め込む。その後、図４（ｂ）に示すように、引っ掛け部２を、その折り返し部３をヘッドボード２０の取手２１により押し広げて、取手２１に嵌合する。その後、図４（ｃ）に示すように、電源ケーブル２３における残りの部分（直索係止部５に係止された部分と、ベッド駆動部側の基端部との間の部分）を、束索係止部８に円形に巻き付けていく。これにより、円形の複数巻きに束ねられた状態のケーブルの束が、束索係止部８に係止される。なお、本実施形態のケーブル支持具は、上述の態様に限らず、種々の使用方法がある。例えば、電源ケーブル２３のプラグ２２側の部分を、直索係止部５に圧入し、更に、電源ケーブル２３のその他の部分も、束索係止部８に巻き付けて、ケーブル支持具に電源ケーブルの大部分を係止させた後、引っ掛け部２をヘッドボード２０の取手２１に嵌合して、電源ケーブル２３をヘッドボード２０に吊り下げることとしてもよい。また、ケーブル支持具は、ヘッドボードに限らず、ベッドのサイドレール及びフットボード等の任意の位置に係止することができる。
【００１８】
ベッドを移動する場合は、このようにして、ケーブルをベッドサイドに収納した状態で、ベッドの台車フレームを動かすことにより、ケーブルの処理で移動作業が煩雑になることはない。また、病室又は手術室内にベッドを配置した場合も、長いケーブルの余分な部分を、上述のようにして、ケーブル支持具にまとめて係止させることにより、余分なケーブルの部分が、治療又は介護の際に、邪魔することがない。更に、電源ケーブルのプラグを壁のコンセントに差し込む際には、このプラグに接続されたケーブル部分を、直索係止部５から離脱させ、更に、この直索係止部５に係止されていたケーブルにつながる部分の一部を、束索係止部８から外して、プラグをコンセントに差し込む。その後、プラグをコンセントから外した場合は、ケーブルの一定の部分を円形に巻きながら、束索係止部８に巻き取り、プラグ近傍の部分を直索係止部５に係止させる。更に、ケーブル支持具を床上に放置する状態になった場合にも、ケーブルのプラグ側の部分を直索係止部５に圧入して係止させておく。これにより、ケーブル支持具は、床上に、立った状態ではなく、その全体が床面に平行になるように、寝た状態に置かれるので、仮に、このケーブル支持具を踏みつけても、ケーブル支持具が破損することはない。
【００１９】
なお、ケーブル支持具に係止された電源ケーブル２３のプラグ２２を壁のコンセントに差し込む際に、電源ケーブル２３がケーブル支持具に係止されたまま、このケーブル支持具を取手２１から外し、電源ケーブル２３を束索係止部８から徐々に外しつつ、プラグ２２をコンセントの近傍まで導き、プラグをコンセントに差し込むようにしても良い。又は、電源ケーブル２３をケーブル支持具から全て外した状態で、プラグをコンセントに差し込んでも良い。この場合は、ケーブル支持具は、取手２１に嵌め込んだままとなる。但し、プラグをコンセントに差し込む際には、電源ケーブル２３を直索係止部５に圧入して係止させた状態とすることが、ケーブル支持具の紛失防止上、好ましい。この場合に、電源ケーブル２３における直索係止部５の係止位置は、プラグをコンセントに差し込んだ際に、ケーブル支持具が他のコンセント穴に対する他のプラグの差し込みを邪魔しないような位置にすることが好ましい。
【符号の説明】
【００２０】
１：平坦部
２：引っ掛け部
３：折り返し部
４：先端部
５：直索係止部
６，７：連絡部
８：束索係止部
９：湾曲部
２０：ヘッドボード
２１：取手
【図１】
0006382156.tif 000002
【図２】
0006382156.tif 000003
【図３】
0006382156.tif 000004
【図４】
0006382156.tif 000005